(57)【特許請求の範囲】
【請求項１】
基材表面に転写物を塗工した転写テープを筐体内に保持している転写具であって、
前記筐体が、内部に転写テープを取り付け得る第一ケースと、
前記第一ケースの内部を閉止することによりこの第一ケースとともに前記転写テープを使用可能に保持した使用姿勢をとり得る第二ケースと、
これら両ケース間に設けられ、当該両ケースを回転可能に接続するとともに、前記第二ケースを前記第一ケースの内部を外方に開放させ前記転写テープを組み付け可能とした開放姿勢に自重では前記使用姿勢に向けて動作不能に位置決めし得る位置決めヒンジとを具備し、
前記位置決めヒンジが、当該両ケースを回転可能に接続するヒンジ本体と、このヒンジ本体に近接して弾性変形可能に設けられ当該ヒンジ本体を軸心とした動作範囲のうち最も弾性変形する所定の思案点よりも前記第二ケースが前記使用姿勢側にあるときは弾性反力により前記使用姿勢又は当該使用姿勢近傍の姿勢まで前記第二ケースを付勢するとともに前記第二ケースが前記思案点よりも反使用姿勢側にあるときは前記弾性反力により前記第一ケースの内部を外方に開放させ前記転写テープを組み付け可能とした開放姿勢まで前記第二ケースを付勢する弾性変形部とを有しているスナップヒンジであり、
前記筐体が周囲よりも曲率が大きく膨出している大曲率部を有するものであるとともに前記スナップヒンジが対をなす前記弾性変形部の間に前記ヒンジ本体を位置付けたものであり、
前記使用姿勢において前記第一ケース及び前記第二ケースの前記大曲率部の外面が同一の湾曲形状をなしており、
前記大曲率部の縁部に沿って前記スナップヒンジを設けているとともに、
前記スナップヒンジが前記第一ケース及び前記第二ケースの外面から突出していることを特徴とする転写具。
【請求項２】
前記筐体が、前記第一ケース、前記第二ケース及び前記スナップヒンジを一体に形成したものである請求項１記載の転写具。
【請求項３】
前記転写テープを前記筐体から露出させた位置まで突出させて支持し、当該突出方向に対し交差した一方向へ押し付けることにより転写物を転写する転写ヘッドを有するものであり、
前記筐体が、前記転写ヘッドの近傍に、前記両ケースを係り合わせる係合部を設けている請求項１又は２記載の転写具。
【請求項４】
前記係合部が、前記両ケースの何れか一方に設けられた外方へ突出する外向突起と、他方に設けられ前記外向突起に外嵌し得る外嵌穴とを有した外向係合部である請求項３記載の転写具。
【請求項５】
前記転写ヘッドを覆う閉状態と前記転写ヘッドを開放させた開状態との間で動作可能なキャップを有するものであり、
このキャップが前記開状態で前記両ケースに対しそれぞれ係り合う請求項３又は４記載の転写具。
【発明の詳細な説明】
【技術分野】
【０００１】
本発明は、オフィスにおいて好適に使用される事務用塗膜転写具に関するものである。
【背景技術】
【０００２】
従来、オフィスや家庭において、糊付け作業を簡便に行う目的や、筆記した文字を修正すべく修正剤を被覆するといった目的の下、粘着剤や修正用の塗膜を転写対象物に転写し得る種々の事務用塗膜転写具が提案されている。これらの転写具のうちの多くのものは、正面側及び背面側に分割された所謂半割構造をなす第一ケース及び第二ケースを具備する筐体内に、基材に転写物を塗工した転写テープや送出機構部品を組み付ける組付作業を製造時に経るのが通例である。
【０００３】
また、前記組付作業を容易に行うことや、出荷後に使用者が容易に転写テープの交換を行い得るよう、第一ケース及び第二ケースをヒンジにより回転可能に接続したものも多く提案されている(例えば、特許文献１及び特許文献２参照)。
【０００４】
しかしながら、上記の如く筐体にヒンジを設けた転写具の場合、確かに第一ケース及び第二ケースを組み付ける作業をより正確に行い得るものの、組付作業中は、第一ケース及び第二ケースを開いた状態としても筐体の向きによっては第二ケースは自重により不意に回転してしまうため、使用者は常に第一ケース及び第二ケースを開いて筐体内部を開放させた状態を維持しておかなければならない、
換言すれば、より正確且つ迅速に行うことが要求される転写具製造時の組み付け作業をより簡便且つ正確に行い得るものが要求されているのが現状である。
【先行技術文献】
【特許文献】
【０００５】
【特許文献１】特許第４９７２７８６号公報
【特許文献２】特開２０００−３１３１９８号公報
【発明の概要】
【発明が解決しようとする課題】
【０００６】
本発明は、上述したような課題に着目したものであり、転写具製造時の組み付け作業をより簡便且つ正確に行い得る転写具を提供することを目的としている。
【課題を解決するための手段】
【０００７】
本発明は、このような目的を達成するために、次のような手段を講じたものである。
【０００８】
すなわち本発明に係る転写具は、基材表面に転写物を塗工した転写テープを筐体内に保持している転写具であって、前記筐体が、内部に転写テープを取り付け得る第一ケースと、前記第一ケースの内部を閉止することによりこの第一ケースとともに前記転写テープを使用可能に保持した使用姿勢をとり得る第二ケースと、これら両ケース間に設けられ、当該両ケースを回転可能に接続するとともに、前記第二ケースを前記第一ケースの内部を外方に開放させ前記転写テープを組み付け可能とした開放姿勢に自重では前記使用姿勢に向けて動作不能に位置決めし得る位置決めヒンジとを具備し、前記位置決めヒンジが、当該両ケースを回転可能に接続するヒンジ本体と、このヒンジ本体に近接して弾性変形可能に設けられ当該ヒンジ本体を軸心とした動作範囲のうち最も弾性変形する所定の思案点よりも前記第二ケースが前記使用姿勢側にあるときは弾性反力により前記使用姿勢又は当該使用姿勢近傍の姿勢まで前記第二ケースを付勢するとともに前記第二ケースが前記思案点よりも反使用姿勢側にあるときは前記弾性反力により前記第一ケースの内部を外方に開放させ前記転写テープを組み付け可能とした開放姿勢まで前記第二ケースを付勢する弾性変形部とを有しているスナップヒンジであり、前記筐体が周囲よりも曲率が大きく膨出している大曲率部を有するものであるとともに前記スナップヒンジが対をなす前記弾性変形部の間に前記ヒンジ本体を位置付けたものであり、前記使用姿勢において前記第一ケース及び前記第二ケースの前記大曲率部の外面が同一の湾曲形状をなしており、前記大曲率部の縁部に沿って前記スナップヒンジを設けているとともに、前記スナップヒンジが前記第一ケース及び前記第二ケースの外面から突出していることを特徴とする。
【０００９】
ここで、「自重では前記使用姿勢に向けて動作不能に位置決めし得る」とは、第二ケースを開放姿勢としたときに転写具を何れの向きに向けたとしても第二ケースが使用姿勢側へ回転しない程度に位置決めされることを意味する。勿論、自重とは第二ケース自体の自重を意味する。また勿論、転写具に予め外力が付勢されているような場合や動作により遠心力等を発生させるような場合は除かれるものとする。加えて、開放姿勢は第二ケースを第一ケースに対して開く方向の動作端には限られない。すなわち第二ケースの動作可能範囲の途中に所定の開放姿勢を設定し、開放姿勢から反使用姿勢側の動作端までは自由に動作し得るような態様も含まれる。さらに、開放姿勢において第二ケースが第一ケースに対してなす角度は特に限定されない。すなわち転写テープや他の機構部品の配置や取付構造によって、換言すれば転写具の構成毎に転写テープの組付けを行い得る第二ケース及び第一ケースの最小限の相対角度は異なるためである。
【００１０】
このようなものであれば、位置決めヒンジの作用により、筐体に転写テープの組付けを行う使用者が第二ケースの位置を常に保持していないときでも第二ケースを開放姿勢としたいときは開放姿勢に維持しておくことができる。これにより、使用者は転写テープの組み付け時に第二ケース自体が邪魔にならない。換言すれば転写テープの組み付け作業中にこれまで第二ケースの位置決めに割かれていた手指の動作を省く事が可能となる。その結果、転写具製造時の組み付け工程において、筐体を開閉させる作業をより簡便且つ正確に行い得る。換言すれば、使用者は転写テープの組み付け作業により集中することができ、当該作業をより迅速且つ正確に行うことができる。
【００１１】
また、位置決めヒンジが、当該両ケースを回転可能に接続するヒンジ本体と、このヒンジ本体に近接して弾性変形可能に設けられ当該ヒンジ本体を軸心とした動作範囲のうち最も弾性変形する所定の思案点よりも第二ケースが使用姿勢側にあるときは弾性反力により使用姿勢又は当該使用姿勢近傍の姿勢まで第二ケースを付勢するとともに第二ケースが思案点よりも反使用姿勢側にあるときは弾性反力により第一ケースの内部を外方に開放させ転写テープを組み付け可能とした開放姿勢まで前記第二ケースを付勢する弾性変形部とを有しているスナップヒンジであるので、転写テープの組み付け時において、より簡便な動作で使用者が第二ケースを所望の姿勢とすることができる。
【００１２】
加えて、筐体を周囲よりも曲率が大きく膨出している大曲率部を有するものとするとともにスナップヒンジが対をなす前記弾性変形部の間に前記ヒンジ本体を位置付けたものとし、大曲率部の縁部に沿って前記スナップヒンジを設けているので、スナップヒンジによる第二ケースの付勢をより強く行わせることで使用者の組み付け作業をより確実なものとすることもできる。これは、曲率が大きい箇所ほどヒンジ本体の動作による弾性変形部の動作が大きくなることから当該弾性変形部による弾性反力を大きくすることができるからである。
【００１３】
転写具を構成する部品点数を有効に削減し、転写具の製造を容易とし得る態様として、筐体が、前記第一ケース、第二ケース及び前記スナップヒンジを一体に形成した態様を挙げることができる。
【００１４】
また、使用者が転写テープを筐体から露出させた位置まで突出させて支持し、当該突出方向に対し交差した一方向へ押し付けることにより転写物を転写する転写ヘッドを有するものである場合、前記転写テープを転写対象物へ向けて押し付けるときには、転写ヘッド近傍に両ケースを離反させる力が加わり、転写ヘッドの支持強度に影響を与えることとなる。それを有効に回避するための構成として、筐体における転写ヘッドの近傍に、両ケースを係り合わせる係合部を設ける構成を挙げることができる。
【００１５】
また筐体の内部において転写ヘッド近傍は機構部品が集中するがこれら機構部品に係合部を干渉せず使用姿勢での筐体の強度を有効に向上させるためには、係合部を、両ケースの何れか一方に設けられた外方へ突出する外向突起と、他方に設けられ外向突起に外嵌し得る外嵌穴とを有した外向係合部とすることが望ましい。
【００１６】
そして、使用時に転写ヘッド近傍における筐体の強度をより向上させるためには、キャップが開状態において両ケースに対しそれぞれ係り合う構成とすることが望ましい。
【発明の効果】
【００１７】
本発明によれば、転写具製造時の組み付け作業をより簡便且つ正確に行い得る転写具を提供することができる。
【図面の簡単な説明】
【００１８】
【図１】本発明の一実施形態に係る外観図。
【図２】同正面図。
【図３】同右側面図。
【図４】同底面図。
【図５】同分解斜視図。
【図６】同実施形態に係る転写具本体の展開図。
【図７】図６に係る要部拡大図。
【図８】図７に係るＡ−Ａ線断面図。
【図９】図２に係る要部拡大図。
【図１０】図９に係るＢ−Ｂ線断面図。
【図１１】図２に係る他の要部拡大図。
【図１２】図１１に係るＣ−Ｃ線断面図。
【発明を実施するための形態】
【００１９】
以下、本発明の一実施の形態について図１〜図１２を参照して説明する。
【００２０】
本実施形態に係る転写具１は、基材表面に転写物を塗工した転写テープＴをリールに巻装した状態で保持するリフィル３と、このリフィル３を装着してなる、樹脂の一体成型からなる筐体２０を主体とした転写具本体２とを有する。換言すれば転写具１は、転写テープＴを筐体２０内に保持している。斯かる筐体２０の具体的な構成については後述する。
【００２１】
以下、転写具１の各部の構成について、リフィル３、転写具本体２の順に説明する。
【００２２】
リフィル３は、特に図５に示すように、樹脂の一体成形からなるリフィル本体３１と、このリフィル本体３１に取り付けられた繰出リール３２並びに巻取リール３３と、転写ヘッド３４とを具備している。
【００２３】
リフィル本体３１は、平板状のリフィルベース５と、転写具本体２に取り付けられるための取付部３１１と、繰出リール３２を支持する繰出側支軸３１２と、巻取リール３３を支持する巻取側支軸３１３と、リフィルベース５に一体に設けられた回転禁止部４とを有している。リフィルベース５は、転写ヘッド３４から巻取リール３３を経て繰出リール３２に至る一端側から他端側までを略直線状に繋ぐものである。このリフィルベース５は繰出リール３２及び巻取リール３３の間で繰出リール３２に巻装された転写テープＴよりも正面視若干外側へ突出させた把手部５１と、先端が巻取リール３３に係り合うことにより巻取リール３３の逆転を防止するためのラチェット爪５２とを有している。取付部３１１は、リフィルベース５の一端側において厚み方向に突出する円筒状のものであり、当該円筒に設けられた取付穴３１４により転写具本体２に取り付けられる。繰出側支軸３１２は繰出リール３２を抜脱不能且つ回転可能に支持するものである。巻取側支軸３１３は巻取リール３３を抜脱不能且つ回転可能に支持するものである。これら繰出側支軸３１２及び巻取側支軸３１３は、先端が転写具本体２に当接することで、リフィル３の厚み方向の位置決めを行っている。そして回転禁止部４は繰出リール３２側に係り合って繰出リール３２の回転を禁止し得る回転禁止端たる係止部４２と、転写具本体２側の後述する解除用突起２１ｆに当接し得る当接端４１と、当接端４１が解除用突起２１ｆに当接する際に繰出リール３２から伝えられる荷重により弾性変形し前記係止部４２と前記繰出リール３２との係り合いを解除する弾性変形部４３とを有している。繰出リール３２は、前記リフィル本体３１の繰出側支軸３１２に支持されつつ転写テープＴを巻装したものである。この繰出リール３２は、合成樹脂により一体に成形されている。
【００２４】
繰出リール３２は、リフィル本体３１に支持される軸受部（図示せず）と、転写テープＴを巻装する胴部（図示せず）と、巻装された転写テープＴのずれを防止するためのフランジ３２３とを有している。そして本実施形態では繰出リール３２のフランジ３２３の縁部に複数の開口たる係止穴３２４を円周状に並べ設けている。
【００２５】
巻取リール３３は、前記リフィル本体３１の巻取側支軸３１３に支持されたものであり、転写具１の使用に応じて転写テープＴを巻装していくものである。この巻取リール３３はリフィル本体３１に支持される軸受部（図示せず）と、転写物を転写した後の転写テープＴを巻装する胴部（図示せず）と、巻装する転写テープＴのずれを防止するためのフランジ３３３とを有している。本実施形態では、リフィル本体３１側の一方のフランジ３３３には前記ラチェット爪５２に係り合い逆転防止機構を構成するラチェット歯３３５が設けられている。前記一方のフランジ３３３に対面する他方のフランジ３３３には、転写具本体２側に噛合して連動機構を構成するための巻取ギヤ３３４が一体に形成されている。なお本実施形態のリフィル３は、前記転写テープＴを巻回した繰出リール３２及びこの繰出リール３２が前記転写具本体２内に保持されていないときには係止部４２と係止穴３２４との係り合いにより繰出リール３２の回転を禁止するとともに繰出リール３２を前記転写具本体２へ装着する際に繰出リール３２から前記転写具本体２側の解除用突起２１ｆへ伝えられる荷重により繰出リール３２の回転を許容し得る回転禁止機構を有している。
【００２６】
転写ヘッド３４は、転写テープＴを前記筐体２０から突出させ転写テープＴを転写対象物へ向けて押し付けるためのものである。転写ヘッド３４はリフィル本体３１の前記取付部３１１に一体に形成されたヘッド本体３４１と、このヘッド本体３４１に支持された転写ローラ３４２とを備えたものである。ヘッド本体３４１は取付部３１１に一体に設けられた板状のものであり、先端側両側には転写テープＴの横ずれを防止するための対をなす概略三角形状をなしたガイド３４３が設けられている。転写ローラ３４２は、前記ガイド３４３の先端間に回転可能に取り付けられている。またガイド３４３における転写ローラ３４２の取付け位置よりも若干上側には、キャップ２３を閉状態（ＣＬ）に位置決めし得る突起であるキャップ止め３４４が形成されている。
【００２７】
転写具本体２は、リフィル３を介して転写テープＴを収容し得るものである。この転写具本体２は、第一ケース２１と、この第一ケース２１に取り付けられた第二ケース２２と、これら両ケース２１、２２を一体に且つ回転可能に接続するスナップヒンジ２７と、第一ケース２１に一体に回転可能に取り付けられたキャップ２３と、第一ケース２１に取り付けられた繰出ギヤ２４と、繰出ギヤ２４にクラッチ２５を介して取り付けられた回動端２６とを有している。そして転写具本体２は、両ケース２１、２２及びキャップ２３を一体に形成してなる例えばポリプロピレンといった弾性を有する合成樹脂製の筐体２０に対し、送出機構部品である操出ギヤ２４、クラッチ２５及び回動端２６を組み付けたものである。
【００２８】
しかして本実施形態に係る転写具本体２を構成する筐体２０は、両ケース２１、２２間を、位置決めヒンジたるスナップヒンジ２７を介して接続した構成としている。以下、転写具本体２を構成する筐体２０について詳述する。
【００２９】
筐体２０は、第一ケース２１、第二ケース１１、スナップヒンジ２７の他に、転写ヘッド３４を覆うためのキャップ２３、転写ヘッド３４近傍における第一ケース２１及び第二ケース２２の係り合いを上下から強めるための上係合部２８及び下係合部２９を一体に形成したものである。そして筐体２０は、転写ヘッド３４を配した一端側とは反対側である他端側縁部を周囲よりも曲率が大きい、すなわち曲率半径を小さくして膨出している大曲率部２０ａとし、この大曲率部２０ａの下側近傍には縁部を凹ませて形成した指掛け凹部２０ｂを隣接させて形成している。言い換えれば、従来の転写具の筐体よりも、転写ヘッド３４を位置付けた箇所の反対側の一部を指掛け凹部２０ｂとして持ちやすいように凹ませたために、当該他端縁の曲率が大きくなり大曲率部２０ａが形成されている。そしてこの大曲率部２０ａに、スナップヒンジ２７が設けられている。また当該筐体２０は、弾性を有するポリプロピレン素材の厚みを適宜調整することで、部分的に肉厚を所謂フィルム状にまで薄くした箇所において自由に屈曲させたり、弾性変形させたりすることで、同じ素材を用いつつも変形し得ない箇所及びし得る箇所を形成し、部位毎の役割をそれぞれ担うようにしている。また当該筐体２０は図示しないが透明又は半透明のものを適用している。これにより、筐体２０内部のリフィル３の状態や未使用の転写テープＴの残量が筐体２０外方から容易に視認し得る。
【００３０】
第一ケース２１は、内部に転写テープを取り付け得るべくリフィル３の背面から側面に至るまでを略覆うものであり、リフィル本体３１の取付部３１１を固定するための第一取付リブ２１ａと、巻取リール３３を直接支持する巻取軸２１ｂと、繰出リール３２を間接的に支持する繰出軸２１ｃとキャップ２３に係り得る突起である第一キャップ止め２１ｄと、使用姿勢（Ｒ）において第二ケース２２に重層する箇所を薄肉として設けられた薄肉部２１ｅと、リフィル３装着時に当接端４１に当接し操出リール３２の回転を許容するための解除用突起２１ｆとを有している。また本実施形態では薄肉部２１ｅは第一ケース２１周縁において間欠的に設けられており、第二ケース２２に対し重層する箇所に完全に対応させて設けられているわけではない。
【００３１】
第二ケース２２は、リフィル３の正面側を覆うものであり、第一ケース２１の内部を閉止することによりこの第一ケース２１とともに転写テープＴを使用可能に保持した使用姿勢（Ｒ）をとり得るものである。この第二ケース２２は、リフィル本体３１の取付部３１１を固定する第二取付リブ２２ａと、リフィル３装着後の巻取リール３３及び繰出リール３２をそれぞれ押える巻取側押え部２２ｃ及び繰出側押え部２２ｂと、キャップ２３に係り得る突起である第二キャップ止め２２ｄと、使用姿勢（Ｒ）において第一ケースの内部に差込み重層し得る差込縁２２ｅとを有している。
【００３２】
繰出ギヤ２４は、繰出軸２１ｃに抜脱不能且つ回転可能に取り付けられており、繰出軸２１ｃの先端側に回動端２６を取り付けている。詳述すると、繰出ギヤ２４は、繰出軸２１ｃの基端側に取り付けられた概略円板形状のものであり、繰出軸２１ｃの先端側に近接した部分をオーバーハング形状に形成したクラッチ２５を一体に形成している。そしてクラッチ２５に操出ギヤ２４から回動端２６を押し付けるべく例えば金属製のスプリングを取り付けることによりクラッチ２５として好適に機能し得る摩擦力を生じさせている。
【００３３】
キャップ２３は、第一ケース２１側に回動可能に一体に取り付けられたものであり、転写ヘッド３４を覆って不使用時に転写ヘッド３４が周りのものに当接することを回避する閉状態（ＣＬ）と、両ケース２１、２２に添接し且つ係り合って転写ヘッド３４を転写具本体２から表出させ紙等の転写対象物へ押し付け得る開状態（ＯＰ）とでそれぞれ位置決めし得るものである。キャップ２３は、湾曲板状をなすキャップ本体２３ａと、このキャップ本体２３ａを回転可能に第一ケース２１に接続する回転ヒンジ２３ｂと、開状態（ＯＰ）で第一ケース２１の第一キャップ止め２１ｄに外嵌する第一外嵌穴２３ｃと、同じく開状態（ＯＰ）で第二ケース２２の第二キャップ止め２２ｄに外嵌する第二外嵌穴２３ｄと、閉状態（ＣＬ）で転写ヘッド３４のキャップ止め３４４に係り合う係止部２３ｅと、閉状態（ＣＬ）にあるキャップ２３の先端を指等により引っ掛けやすいように外方に起立させた先端リブ２３ｆとを有している。すなわちキャップ２３は、図１及び図２において想像線で示す開状態（ＯＰ）では、第一外嵌穴２３ｃ、第二外嵌穴２３ｄが第一キャップ止め２１ｄ、第二キャップ止め２２ｄに嵌ることによって両ケース２１、２２の係合をより強固にしている。またキャップ２３は図２、図４及び図１１に示す閉状態（ＣＬ）では係止部２３ｅが転写ヘッド３４のキャップ止め３４４に引っ掛かることにより転写ローラ３４２に巻回された転写テープＴを確実に保護した状態で安定して位置決めされる。
【００３４】
上係合部２８は、筐体２０の正面視で長手方向の一端部に位置付けられた転写ヘッド３４近傍上部において、第一ケース２１及び第二ケース２２の係り合いを強くするためのものである。換言すれば上係合部２８は、転写具１の使用時に転写ヘッド３４近傍に両ケース２１、２２を離間させる力が働くため、斯かる位置で両ケース２１、２２を係り合わせて筐体２０の強度を保持し、安定した転写に寄与するためのものである。この外向係合部たる上係合部２８は、筐体２０内において最も機構部品が近接し集中する転写ヘッド３４近傍において他の機構部品に干渉しないよう、筐体２０の外方に突出する外向突起２８ａと、この外向突起２８ａに外方から嵌り得る外嵌プレート２８ｂとを有する構成としている。具体的に説明すると上係合部２８は、第一ケース２１側に設けられた外向突起２８ａと、第二ケース２２側に設けられた外嵌プレート２８ｂとを有している。外嵌プレート２８ｂは、外向突起２８ａに係合しないとき、第二ケース２２から外方に起立した準備位置（Ｓ）をとるよう、ヒンジ２８ｅが成形されており、このヒンジ２８ｅに支持されたプレート本体２８ｃ中央に矩形状の穴である外嵌穴２８ｄを形成した構成をなす。第一ケース２１及び第二ケース２２を密接させた筐体２０の使用姿勢（Ｒ）（Ｒ）においてプレート本体２８ｃを倒すことで外向突起２８ａを外嵌穴２８ｄに挿通させ、使用位置（Ｕ）とする。
【００３５】
下係合部２９は、転写ヘッド３４の下側近傍に設けられ前記上係合部２８とともに転写ヘッド３４近傍の筐体２０の強度を担保する役割を担う。具体的に説明すると下係合部２９は前記上係合部２８と同様の構成をなす。すなわち下係合部２９は、第一ケース２１側に設けられた外向突起２９ａと、第二ケース２２側に設けられた外嵌プレート２９ｂとを有している。外嵌プレート２９ｂは、外向突起２９ａに係合しないとき、第二ケース２２から外方に起立した位置をとるよう、ヒンジ２９ｅが成形されており、このヒンジ２９ｅに支持されたプレート本体２９ｃ中央に矩形状の穴である外嵌穴２９ｄを形成した構成をなす。
【００３６】
しかして本実施形態では上述した通り、第一ケース２１、第二ケース２２を、スナップヒンジ２７によって一体に接続しているものである。すなわちスナップヒンジ２７は、筐体２０の大曲率部２０ａの縁部に形成されたヒンジ本体２７ａと、連結バンド２７ｂとを有している。ヒンジ本体２７ａは、両ケース２１、２２間に設けられ、当該両ケース２１、２２を回転可能に接続するヒンジ本体２７ａ、そして連結バンド２７ｂは、ヒンジ本体２７ａの両側に近接して弾性変形可能に設けられた、側面視三角形状に素材をフィルム状に成形することにより設けられたものである。この連結バンド２７ｂは、当該ヒンジ本体２７ａを軸心とした動作範囲のうち最も弾性変形する所定の思案点（Ｍ）よりも第二ケース２２が使用姿勢（Ｒ）側にあるときは弾性反力により使用姿勢（Ｒ）又は当該使用姿勢（Ｒ）近傍の姿勢まで前記第二ケース２２を付勢するとともに前記第二ケース２２が前記思案点（Ｍ）よりも反使用姿勢側にあるときは前記弾性反力により前記第一ケース２１の内部を外方に開放させ前記転写テープＴを組み付け可能とした開放姿勢（Ｐ）まで前記第二ケース２２を付勢する弾性変形部としての役割を有している。
【００３７】
以下に、図７〜図１０を参照しながら、第一ケース２１に対して第二ケース２２を動作させる際の当該第二ケース２２及びスナップヒンジ２７の、リフィル３を組み付ける方向に沿って回転する動作について説明する。まず転写具本体２にリフィル３を組み付けるときは、第二ケース２２を図７及び図８に示した開放姿勢（Ｐ）とする。ここで図７では図示の便宜上、第二ケース２２を第一ケース２１に対し１８０°開いた開放姿勢（Ｐ）を図示しているが、実際には図８に想像線で示すように、スナップヒンジ２７における連結バンド２７ｂによる引っ張り作用により、第二ケース２２はおおよそ同図に想像線で示す、約９０°〜１２０°程度に開いた位置かその近傍に位置決めされる。換言すれば開放姿勢（Ｐ）において、転写テープＴの組み付け方向であるリフィル３を組み付ける方向に沿って第一ケース２１から離間させても干渉しない位置（相対角度）に第二ケース２２を位置決めしている。にそして図９及び図１０に示す使用姿勢（Ｒ）とすべく第二ケース２２を動作させる際には、使用者第二ケース２２を図１０にて想像線で示す開放姿勢（Ｐ）から手指で同じく想像線で示す思案点（Ｍ）まで回動させる。この思案点（Ｍ）では、連結バンド２７ｂはヒンジ本体２７ａの軸心方向に略重複する位置に位置付けられ、最も張力が掛かった状態、換言すれば最も弾性変形した状態にある。そしてこの思案点（Ｍ）を超えて使用者が使用姿勢（Ｒ）寄りに第二ケース２２を動作させると、連結バンド２７ｂが縮む作用、つまり弾性反力により第二ケース２２は準備姿勢（Ｑ）まで回動するよう連結バンド２７ｂに付勢される。
【００３８】
しかして本実施形態では、図１０に特に示すように、スナップヒンジ２７は使用姿勢（Ｒ）までではなく、使用姿勢（Ｒ）近傍である準備姿勢（Ｑ）まで第二ケース２２を付勢するようにしている。これにより本実施形態に係る転写具１は第二ケース２２の使用姿勢（Ｒ）において、さらに上係合部２８、下係合部２９をそれぞれ係合させた状態で、はじめて使用するよう使用者に認識させることができる。
【００３９】
すなわちスナップヒンジ２７により第二ケース２２を使用姿勢（Ｒ）寄りに動作させたときには図１１に示すように、上係合部２８は準備位置（Ｓ）をとっている。斯かる準備位置（Ｓ）では外嵌プレート２８ｂは第一ケース２１から起立している。これにより使用者は容易に転写具１が未だ使用し得ない状態にあると認識することができる。そして、使用者自身でスナップヒンジ２７により位置決めされた準備姿勢（Ｑ）からさらに使用姿勢（Ｒ）にまで第二ケース２２を回動させた上で、図１２に示すように外嵌プレート２８ｂを倒し上係合部２８を使用位置（Ｕ）とすることで、使用者の意志により転写具１を使用し得る状態とさせる。なお下係合部２９に対しても上係合部２８同様に動作させることはいうまでもない。
【００４０】
以上のような構成とすることにより本実施形態では、上述した位置決めヒンジたるスナップヒンジ２７の作用により、第二ケース２２を、その自重によっては使用姿勢（Ｒ）に向けて動作不能な状態で開放姿勢（Ｐ）位置決めしている。これにより、筐体２０にリフィル３装着による転写テープＴの組み付けを行う使用者が第二ケース２２の位置を常に保持していないときでも第二ケース２２を開放姿勢（Ｐ）としたいときは開放姿勢（Ｐ）に維持しておくことができる。これにより、使用者は転写テープＴの組み付け作業自体にこれまで第二ケース２２が邪魔にならないように当該第二ケース２２の位置決めに割かれていた手指の動作を省く事が可能となる。その結果、転写具１製造時の組み付け工程において、筐体２０を開閉させる作業をより簡便且つ正確に行い得る。
【００４１】
特に本実施形態では、位置決めヒンジとしてスナップヒンジ２７を適用しているので、弾性変形部たる連結バンド２７ｂの弾性変形を利用して、開放姿勢（Ｐ）での位置決めを、思案点（Ｍ）よりも反使用姿勢まで第二ケース２２を動作させるだけで容易に行うことができる。加えて思案点（Ｍ）よりも使用姿勢（Ｒ）寄りに第二ケース２２を位置付ければ容易に使用姿勢（Ｒ）近傍の準備姿勢（Ｑ）まで第二ケース２２を位置決めすることができる。換言すれば、使用者は第二ケース２２を単に何れかの方向に付勢し思案点（Ｍ）を超えさせるのみで所望の２つの位置に容易に位置付け得る。これにより使用者は転写テープＴの組み付け作業により集中することができ、当該作業をより迅速且つ正確に行うことができる。
【００４２】
また本実施形態ではスナップヒンジ２７を第一ケース２１及び第二ケース２２に対し一体に成形した筐体２０を適用することにより、転写具１を構成する部品点数を有効に削減し、当該転写具１の製造を容易なものとしている。
【００４３】
特に本実施形態では、スナップヒンジ２７による第二ケース２２の付勢をより強く行わせることで使用者の組み付け作業をより確実なものとすべく、筐体２０において周囲よりも曲率が大きく膨出している大曲率部２０ａにスナップヒンジ２７を設けている。これは、曲率が大きい箇所ほどヒンジ本体２７ａの動作による連結バンド２７ｂの動作が大きくなる、すなわち当該弾性変形に対する弾性反力を大きくなることに起因する。
【００４４】
また、転写具１を使用する際には転写ヘッド３４の近傍には両ケース２１、２２を離反させる力が加わり、転写ヘッド３４の支持強度に影響を与えることがこれまでは懸念されてきた。そこで本実施形態では斯かる懸念を有効に回避或いは仮称すべく、転写ヘッド３４の上側の近傍に、両ケース２１、２２を係り合わせる上係合部２８を設けている。
【００４５】
しかもこの転写ヘッド３４近傍は筐体２０内において特に機構部品が集中する箇所であるため、これまでは当該箇所に係合部を形成することが難しかった。これはこれまでの係合部の態様が、例えば筐体２０内部に動作しろを確保しなければならない押圧ボタンを利用した態様や、係合部材が筐体２０内部に一時的に弾性変形する態様等を利用していたからである。そこで本実施形態では、この上係合部２８を第一ケース２１に設けられた外向突起２８ａと、第二ケース２２外向突起２８ａに外嵌し得る外嵌穴２８ｄとを有した外向係合部とすることで、上記の課題を確実に解消せしめている。
【００４６】
しかも本実施形態では、このキャップ２３が使用時において両ケース２１、２２にそれぞれ係合する開状態をとるようにすることで、使用時に転写ヘッド３４近傍における筐体２０の強度をよりいっそう向上せしめている。
【００４７】
加えて本実施形態ではキャップ２３も筐体２０の一部として第一ケース２１に一体成形しているので、組み付け工程のさらなる簡素化に寄与している。
【００４８】
以上、本発明の実施形態について説明したが、各部の具体的な構成は、上述した実施形態のみに限定されるものではなく、本発明の趣旨を逸脱しない範囲で種々変形が可能である。
【００４９】
上記実施形態では位置決めヒンジとして、筐体に一体に成形された樹脂製のスナップヒンジを適用したが勿論、第二ケースを開放姿勢に位置決めし得る種々の構成を適用し得る。例えば、ヒンジを別体からなる軸及び軸受けを有した蝶番構造とした場合であれば、当該軸及び／又は軸受けの形状を適宜設定することによって第二ケースを開放位置に位置決めし得るクリックストップ機構を実現し得る。更には軸及び軸受け近傍において凹凸係合させる構成によって第二ケースを開放位置に位置決めし得る構成としても良い。また更には、開放位置において第一ケース側の部材と第二ケース側の部材とを軸心方向に密着させることにより発生する摩擦により第二ケースを開放位置に位置決めする構成としても良い。
【００５０】
また例えば、上記実施形態ではリフィル交換式の転写具に係る態様を開示したが、勿論、製造時にのみ筐体を開閉する、所謂使い切りタイプの転写具に本発明を適用してもよい。加えて上記実施形態では筐体の縁部に沿って形成されたスナップヒンジを開示したが勿論、弾性変形部を筐体の正面視縁部に設けたヒンジ本体とは離間した箇所に設けても良く、またスナップヒンジ自体を筐体の縁部ではなく、筐体の縁部ではない一部に設けた開口を開閉すべく当該開口縁に設けても良い。またリフィルの構成や筐体の外形といった具体的な態様は上記実施形態のものに限定されることはなく、既存のものを含め、種々の態様のものを適用することができる。
【００５１】
その他、各部の具体的構成についても上記実施形態に限られるものではなく、本発明の趣旨を逸脱しない範囲で種々変形が可能である。
【産業上の利用可能性】
【００５２】
本発明は粘着剤や修正用の塗膜を転写対象物に転写し得る事務用塗膜転写具として利用することができる。
【符号の説明】
【００５３】
１…転写具
２０…筐体
２０ａ…大曲率部
２０ｂ…指掛け凹部
２１…第一ケース
２２…第二ケース
２３…キャップ
２７…位置決めヒンジ（スナップヒンジ）
２８…外向係合部（上係合部）
３…リフィル
３４…転写ヘッド
Ｐ…開放姿勢
Ｍ…思案点
Ｑ…準備姿勢
Ｒ…使用姿勢
【図１】
0006524627.tif 000002
【図２】
0006524627.tif 000003
【図３】
0006524627.tif 000004
【図４】
0006524627.tif 000005
【図５】
0006524627.tif 000006
【図６】
0006524627.tif 000007
【図７】
0006524627.tif 000008
【図８】
0006524627.tif 000009
【図９】
0006524627.tif 000010
【図１０】
0006524627.tif 000011
【図１１】
0006524627.tif 000012
【図１２】
0006524627.tif 000013